(57)【要約】【課題】弾発力を有効に発揮させて外壁材を強力に固定できるとともに、耐久性も高められるようにする。【解決手段】壁下地３１に取り付ける留め付け板部１２から前方に突出する水平片１４を備え、水平片１４の先端に、下方へ垂下して外壁材２１の上端差し込み片２４を係止する垂下片１５と、上方へ起立して外壁材２１の下端差し込み片２６を係止する起立片１６を有する外壁材取り付け金具１１において、起立片１６の基部に、水平片１４よりも下方に突出して弾性変位可能に起立片１６を支持する屈曲凸部１６ａを形成する。そして、屈曲凸部１６ａを外壁材２１の対向部位に接させて係止状態を安定させる。【選択図】図２
2015078507.tif 000002
【特許請求の範囲】
【請求項１】
固定面に取り付ける留め付け板部から前方に突出する水平片を備え、該水平片の先端に、下方へ垂下して外壁材の上端差し込み片を係止する垂下片と、上方へ起立して外壁材の下端差し込み片を係止する起立片を有する外壁材取り付け金具であって、
前記垂下片または前記起立片の少なくともいずれか一方の基部に、弾性変位可能に前記垂下片または前記起立片を支持する屈曲凸部が形成され、
該屈曲凸部が、前記垂下片に形成された場合には前記水平片よりも上方に、前記起立片に形成された場合には前記水平片よりも下方に突出するものである
外壁材取り付け金具。
【請求項２】
前記屈曲凸部が、前記外壁材を嵌めたときに外壁材の対向部位に接するものである
請求項１に記載の外壁材取り付け金具。
【請求項３】
前記屈曲凸部が断面半円弧状である
請求項１または請求項２に記載の外壁材取り付け金具。
【請求項４】
前記屈曲凸部が前記起立片の基部に形成された
請求項１から請求項３のうちいずれか一項に記載の外壁材取り付け金具。
【請求項５】
前記屈曲凸部の大きさが、前記外壁材の上端差し込み片の上端面が幅広の場合にその上端面を前記屈曲凸部の下面に当接させ、上端面が幅狭の場合にその上端面を前記水平片の下面に当接または近接させる大きさである
請求項４に記載の外壁材取り付け金具。
【請求項６】
前記起立片が前記垂下片の左右両側位置に形成された
請求項４または請求項５に記載の外壁材取り付け金具。
【発明の詳細な説明】
【技術分野】
【０００１】
この発明は、外壁材を壁下地に固定するための外壁材取り付け金具に関し、より詳しくは、横張り外壁材の固定に用いられる外壁材取り付け金具に関する。
【背景技術】
【０００２】
横張り外壁材は、外壁材同士を接合するための接合構造を、水平方向に延びる上下の２辺に有している。これら接合構造は、いずれも外壁材の厚さのうち壁下地材側の部分に、上方または下方に突出する差し込み片を有する構造である。そして上辺の接合構造においては、前記差し込み片よりも外側の部分に切欠き段部を有し、下辺の接合構造においては、前記差し込み片よりも外側の部分に、上辺の接合構造の切欠き段部に収まる被覆片を垂設している。
【０００３】
外壁材取り付け金具は、これら上辺と下辺の間で接合構造に係止する構造である。つまり、壁下地の固定部位に取り付ける留め付け板部と、この留め付け板部から前方に突出する水平片を備え、この水平片の先端に、下方へ垂下して外壁材の上辺の差し込み片を係止する垂下片と、上方へ起立して外壁材の下辺の差し込み片を係止する起立片を有する構造である。下側に固定した外壁材の上辺の差し込み片に対して外壁材取り付け金具の垂下片を係止するとともに、この外壁材取り付け金具を壁下地に固定し、つづいて外壁材取り付け金具の起立片に、上側に固定する外壁材の下辺の差し込み片を係止して、外壁材の固定がなされる。
【０００４】
この固定状態を強固なものとするため、例えば下記特許文献１に開示されているように、前記起立片について、前記水平片の前端縁位置から上方に鋭角に曲げて、外壁材を弾発力によって壁下地方向に押し返す弾性屈曲片部とすることが提案されている。
【０００５】
このように弾性屈曲片部を有すると、弾性屈曲片部の押圧作用によって外壁材を強固に固定することができる。
【先行技術文献】
【特許文献】
【０００６】
【特許文献１】実用新案登録第２５０７０２８号公報
【発明の概要】
【発明が解決しようとする課題】
【０００７】
しかし、外壁材は、繊維補強セメントなどを材料とするいわゆる窯業系であるので、重量がある。弾性屈曲片部が外壁材を壁下地方向に押さえつけているものの、弾性屈曲片部は水平片から上方に鋭角に曲げて形成されたものであるので、基部に集中荷重がかかる。ところがこの集中荷重がかかる角部は、特許文献１の第２図に開示されているように、何の支えもない。
【０００８】
つまり、弾性屈曲片部の弾発作用は主に構成材料に依存しており、経年変化によって角部に脆性が生じやすく、地震によって壁が傾いた場合に外壁材を保持しきれず、外壁材が飛んでしまうおそれがある。
【０００９】
そこで、この発明は、外壁材を強力に固定できるとともに、耐久性も高められるようにすることを主な目的とする。
【課題を解決するための手段】
【００１０】
そのための手段は、固定面に取り付ける留め付け板部から前方に突出する水平片を備え、該水平片の先端に、下方へ垂下して外壁材の上端差し込み片を係止する垂下片と、上方へ起立して外壁材の下端差し込み片を係止する起立片を有する外壁材取り付け金具であって、前記垂下片または前記起立片の少なくともいずれか一方の基部に、弾性変位可能に前記垂下片または前記起立片を支持する屈曲凸部が形成され、該屈曲凸部が、前記垂下片に形成された場合には前記水平片よりも上方に、前記起立片に形成された場合には前記水平片よりも下方に突出するものである外壁材取り付け金具である。
【００１１】
この構成の外壁材取り付け金具では、垂下片と起立片の双方または一方の基部に形成された屈曲凸部が、一部のみに集中荷重がかからないように、垂直片や起立片を弾性変位可能に弾力的に支持する。屈曲凸部は、自身が形成される片の延びる方向とは逆に突出して、その片が係止する差し込み片との係止が支障なく行えるようにする。
【発明の効果】
【００１２】
この発明によれば、屈曲凸部によって弾性変形可能に支持される垂下片や起立片が外壁材の差し込み片を係止するので、弾発力の作用によって外壁材を強力に固定できるうえに、屈曲凸部が、従来の金具とは異なって一カ所に集中荷重がかからない構造であるので、耐久性の向上も図ることができる。
【図面の簡単な説明】
【００１３】
【図１】外壁材取り付け金具の斜視図。
【図２】外壁材取り付け金具の使用状態の断面図。
【図３】外壁材取り付け金具の正面図。
【図４】外壁材取り付け金具のＡ−Ａ断面図（図４（ａ））、Ｂ−Ｂ断面図（図４（ｂ））、側面図（図４（ｃ））。
【図５】外壁材の上辺接合構造部に対する外壁材取り付け金具の取り付け方を示す斜視図。
【図６】外壁材取り付け金具の使用状態を示す断面図。
【図７】外壁材の上辺接合構造部に対する外壁材取り付け金具の係止状態を示す正面図。
【図８】外壁材取り付け金具の使用状態を示す断面図。
【図９】外壁材の上辺接合構造部に対する外壁材取り付け金具の係止状態を示す正面図。
【図１０】他の例に係る外壁材取り付け金具の使用状態を示す断面図。
【図１１】他の例に係る外壁材取り付け金具の斜視図。
【発明を実施するための形態】
【００１４】
この発明を実施するための一形態を、以下図面を用いて説明する。  
図１は、外壁材取り付け金具１１（以下、「金具」という）の斜視図であり、この金具１１は、図２に示したように外壁材２１を壁下地３１に固定する。この例で示す金具１１は、壁下地３１と外壁材２１との間に通気路４１を形成する構造の金具１１である。
【００１５】
まず、外壁材２１の概略構造を説明する。  
外壁材２１は、所定厚の板材で、上端において左右方向にのびる上辺と、下端において上辺と平行にのびる下辺を有し、これら上辺と下辺に外壁材２１同士を接合する接合構造部２２，２３を有している。上辺の接合構造部２２は、金具１１を係止するとともに、この金具１１を介して、上側に接続する外壁材２１を接合する部分である。下辺の接合構造部２３は、下側に固定した外壁材２１の上辺の接合構造部２２に、金具１１を介して固定される部分である。
【００１６】
上辺の接合構造部２２は、外壁材２１の厚さのうち壁下地３１側の部分に、上方へ突出する所定厚の上端差し込み片２４を有する。上端差し込み片２４よりも外面側には、切欠き段部２５が形成されている。
【００１７】
下辺の接合構造部２３は、外壁材２１の厚さのうち壁下地材３１側の部分に、下方へ突出する所定厚の下端差し込み片２６を有する。この下端差し込み片２６よりも外面側には、上方へ入り込む係止空間２７が形成され、この係止空間２７よりも外面側には、下端差し込み片２６の下端よりも下方に延びて、上辺の接合構造２２における切欠き段部２５に収まる被覆片２８が垂設されている。下端差し込み片２６の下端から係止空間２７の上端部に至る部分には、前方に傾斜した傾斜面２６ａを有している。
【００１８】
つぎに、金具１１の構造を説明する。
【００１９】
金具１１は、図１〜図４に示したように、１枚の金属板からなり、壁下地３１の固定部位に取り付ける留め付け板部１２と、この留め付け板部１２の左右両側において前方に張り出す規制支持部１３と、これら規制支持部１３の間において留め付け板部１２から前方に突出して左右方向に水平にのびる水平片１４と、この水平片１４の先端において下方へ垂下して外壁材２１の上端差し込み片２４を係止する垂下片１５と、この垂下片１５と並んで水平片１４の先端において上方へ起立して外壁材２１の下端差し込み片２６を係止する起立片１６を有する。
【００２０】
留め付け板部１２は、固定のためのねじ穴１７を複数有し、左右方向に長い長方形状で、裏面のほぼ全体が壁下地３１に接触する部分である。一部のねじ穴１７に対するねじ（図示せず）の挿入を斜め下に向けて行えるように、留め付け板部１２の上部には、縦断面三角形の膨出部１２ａが直線状に形成され、この膨出部１２ａの上側の面に、それらのねじ穴１７が形成されている。
【００２１】
規制支持片１３は、前記通気路４１を形成するためのもので、留め付け板部１２の左右両側縁を折り曲げて必要な長さ前方に起こして形成されている。規制支持片１３の先端縁は、左右方向外方に張り出す支持面部１３ａを有している。この支持面部１３ａの表面が外壁材２１の裏面を受ける部分である。規制支持片１３の上下方向の下方部分は、留め付け板部１２の下端位置よりも下方に突出している。
【００２２】
水平片１４は、留め付け板部１２の下端に折り曲げによって形成されている。金具の側面図である図４（ｃ）に示したように、水平片１４は規制支持片１３よりも前方に突出している。水平片１４の前方への突出長さは、規制支持片１３の前方への突出長さと、外壁材２１の接合構造部２２，２３の各部の大きさと、垂下片１５及び起立片１６の形状によって適宜設定される。水平片１４の左右方向の長さは、留め付け板部１２の左右方向の長さよりも若干短い。この水平片１４の先端縁における左右方向全体にわたって、１枚の垂下片１５と２枚の起立片１６が配設されている。
【００２３】
垂下片１５は、水平片１４の左右方向の中間部において、下方に向けて直角に折り曲げて形成したものである（図３のＡ−Ａ断面図である図４（ａ）参照）。左右方向の長さは適宜設定され、上下方向の長さは、上端差し込み片２４に対して規制支持片１３との間で良好な係止状態が得られるように設定される。
【００２４】
起立片１６は、水平片１４の先端縁における左右方向両側部、つまり垂下片１５の左右両側部分に、垂下片１５との間にわずかな隙間を隔てて形成されている。これら起立片１６は、起立片１６の基部に形成された屈曲凸部１６ａによって弾性変位可能に支持されている。屈曲凸部１６ａは、水平片１４よりも下方に突出しており、外壁材２１の下辺の接合構造部２３を嵌めたときに外壁材２１の対向部位に接する。また、屈曲凸部１６ａの断面形状は半円弧状である図３のＢ−Ｂ断面図である図４（ｂ）参照）。
【００２５】
つまり、起立片１６は、水平片１４の先端縁から下方へ曲がったのち、半円弧を描いて上方に湾曲し、その先端から後方、つまり取り付け板部に向けてわずかに傾斜させて起立部１６ｂをのばし、その先を前方斜め上に若干傾けて伸ばして先端傾斜部１６ｃを形成して、全体として縦断面略Ｊ字状となる形状である。先端傾斜部１６ｃは、外壁材２１の下端差し込み片２６の下端から係止空間２７の上端に向けてのびる傾斜面２６ａに当接する部分である。起立片１６の上下方向の長さは、垂下片１５の場合と同様に、下端差し込み片２６との間で良好な係止状態が得られるように設定される。
【００２６】
このような形状の起立片１６の上部に起立片１６を前方に倒す方向の荷重がかかると、おもに屈曲凸部１６ａの全体と、屈曲凸部１６ｂと水平片１４との間の部分で、荷重を分散する。
【００２７】
また、屈曲凸部１６ａの大きさは、図５に示したように、上辺の接合構造部２２の形状が異なる複数種類の外壁材２１に対応できるように設定されている。
【００２８】
つまり屈曲凸部１６ａは、外壁材２１の上端差し込み片２４の上端面２４ａにおける前後方向の幅が広い場合にはその上端面２４ａを屈曲凸部１６ａの下面に当接させ（図６、図７参照）、幅が狭い場合にはその上端面２４ａを後側の空間に受け入れて水平片１４の下面に当接または近接させる（図８、図９参照）大きさである。
【００２９】
なお、上端面２４ａが幅狭な上端差し込み片２４の上端面２４ａよりも下側の部分は、切欠き段部２５にかけて斜めに延びる傾斜面２４ｂを有している。このため、この傾斜面２４ｂに屈曲凸部１６ａが当接する。
【００３０】
また、図５、図８中、２９はシール材である。
【００３１】
以上のように構成された金具１１は、次のようにして使用される。  
図６、図８に示したように下側に固定された外壁材２１の上辺の接合構造部２２に対して金具１１を係止する。係止は、規制支持部１３と垂下片１５との間に上端差し込み片２４を挿入して行う。係止状態は、上端差し込み片２４の上端面２４ａが幅広である場合には、図６、図７に示したように、垂下片１５の左右両側に位置する起立片１６の屈曲凸部１６ａの下端が上端差し込み片２４の上端面２４ａに当接する。この状態は、上端差し込み片２４の上端面２４ａが水平片１４に接触しないものの、屈曲凸部１６ａが左右２カ所にあるのできわめて安定している。しかも、上端差し込み片２４は規制支持部１３と垂下片１５によって挟まれているので、ガタつきなく固定できる。
【００３２】
上端差し込み片２４の上端面２４ａが幅狭である場合には、図８、図９に示したように、屈曲凸部１６ａの湾曲した下面部分が、上端差し込み片２４の上端面２４ａより下側の傾斜面２４ｂに当接し、上端面２４ａは水平片１４の下面に当接または近接する。この状態も、屈曲凸部１６ａが左右２カ所にある上に、上端差し込み片２４が屈曲凸部１６の後ろ側の空間に入り込むことになるので、きわめて安定している。
【００３３】
つづいて、上辺の接合構造部２２に係止した金具１１を、図示しないねじをねじ穴１７に挿入して壁下地３１に固定する。
【００３４】
つぎに、上側に接続する外壁材２１の下辺の接合構造部２３を、金具１１に対して上から係止する。
【００３５】
外壁材２１の下端差し込み片２６は、起立片１６の後ろ側に係止され、起立片１６の先端傾斜部１６ｃが外壁材２１の傾斜面２６ａに当接するとともに、外壁材２１の被覆片２８が切欠き段部２５に収まって、外壁材２１同士の接合状態が得られる。
【００３６】
このような外壁材２１の固定状態においては、外壁材２１の重量や風雨等の影響によって図２の仮想線の矢印で示したように外壁材２１を剥がす方向に負荷がかかっても、図２に実線の矢印で示したように、起立片１６が外壁材２１を壁下地３１に向けて押さえる作用をするので、強固な固定状態が得られる。
【００３７】
しかも、起立片１６の屈曲凸部１６ａは集中荷重がかからないように起立片１６を弾性変位可能に支持するので、強度も耐久性も高く、たとえ地震などによって大きな負荷がかかった場合でも、固定状態を維持できる。そのうえ、起立片１６の屈曲凸部１６ａは、外壁材２１の上端差し込み片２４に接触して支えられながら荷重を分散するので、より高い弾発力を得られる。
【００３８】
また、外壁材２１の上辺の接合構造部２２に対する係止も、外壁材２１の下辺の接合構造部２３に対する係止も強固に行えるので、外壁材２１と金具１１との間でガタつきが生じることはなく、固定構造の劣化を抑制する効果も有する。
【００３９】
さらに、屈曲凸部１６ａが、上端差し込み片２４部分の形態が異なる複数種類の外壁材２１の固定も可能とする。特に、屈曲凸部１６ａが断面半円弧状であるので、上端面が幅狭である場合の上端差し込み片２４の形状の許容範囲は広く、金具１１の適用範囲が広がる。そのうえ、上端面２４ａが幅狭である場合には、屈曲凸部１６ａの下側の湾曲面によって挟み付けられるような状態が得られ、係止状態はより強固なものとなるので、ガタつきのない状態を得られるなどの効果を一層高められる。
【００４０】
以下、その他の例について説明する。この説明において、前述の構成と同一又は同等の部位については同一の符号を付してその詳しい説明を省略する。
【００４１】
図１０は、他の例に係る金具１１の使用状態を示す断面図であり、この図に示すように、垂下片１５にも屈曲凸部１５ａを形成してもよい。この場合、屈曲凸部１５ａは、係止空間２７の下側部分に嵌合対応する形状であるとよい。この屈曲凸部１５ａが、外壁材２１の下辺の接合構造部２３を、弾発力をもって固定するからである。
【００４２】
このような屈曲凸部１５ａを備えた場合には、起立片１６の屈曲凸部１６ａを省略することができる。
【００４３】
図１１は、他の例に係る金具１１の斜視図である。この金具１１は、通気空間４１（図２参照）を広くとれるように規制支持部１３の前方への突出長さを長くした例である。この場合には、規制支持部１３の支持面部１３ａの上部に上端側ほど後方に傾斜する傾斜部１３ｂを形成して、外壁材２１の差し込みを容易にすることができる。
【００４４】
この発明の構成と前述の一形態の構成との対応において、
この発明の固定面は、前記壁下地３１の固定部位に対応するも、
この発明は前述の構成のみに限定されるものではなく、その他の構成を採用することもできる。
【００４５】
たとえば、垂下片１５と起立片１６は、水平片１４の左右方向における同一位置に形成することもできる。
【００４６】
また、規制支持部１３を省略することもできる。
【符号の説明】
【００４７】
１１…外壁取り付け金具
１２…留め付け板部
１４…水平片
１５…垂下片
１５ａ…屈曲凸部
１６…起立片
１６ａ…屈曲凸部
２１…外壁材
２４…上端差し込み片
２４ａ…上端面
２６…下端差し込み片
３１…壁下地
【図１】
2015078507.tif 000003
【図２】
2015078507.tif 000004
【図３】
2015078507.tif 000005
【図４】
2015078507.tif 000006
【図５】
2015078507.tif 000007
【図６】
2015078507.tif 000008
【図７】
2015078507.tif 000009
【図８】
2015078507.tif 000010
【図９】
2015078507.tif 000011
【図１０】
2015078507.tif 000012
【図１１】
2015078507.tif 000013